(57)【要約】【課題】貯留部を備え、用紙の一面および他面を印刷する両面印刷装置において、一面が印刷された用紙の装置内でのジャムを回避する。【解決手段】両面印刷装置１が、用紙Ｐ２の一面に印刷する第１印刷部３と、一面が印刷後の用紙Ｐ２が搬入されて貯留される貯留部５と、貯留部５から搬出された用紙Ｐ２の他面に印刷する第２印刷部７とを備える。貯留部５が、搬入位置に順次搬入されてくる用紙Ｐ２に、左右方向の断面が一面を内側となるようにカールを付与するカール付与手段５２と、カールが付与された各用紙Ｐ２の下端部Ｐ２Ｌを順次保持し、各下端部Ｐ２Ｌ同士が所定隙間を空けた状態で搬出位置まで順次移動させ、下端部Ｐ２Ｌの保持を順次解除する用紙移動手段５３と、移動する用紙Ｐ２の左右端ＬＴ、ＲＴを案内し、搬出位置での用紙Ｐ２の左右方向の位置決めをする用紙位置決め手段５ｂとを備える。【選択図】図４
2011083980.tif 000002
【特許請求の範囲】
【請求項１】
用紙の一面に印刷する第１印刷部と、前記一面が印刷された用紙が搬入され、搬入された該用紙を貯留する貯留部と、該貯留部から搬出された前記用紙の他面に印刷する第２印刷部とを備えた両面印刷装置であって、
前記貯留部が、
該貯留部内の搬入位置に順次搬入されてくる前記用紙に、該用紙の左右方向の断面が前記一面を内側となるようにカールを付与するカール付与手段と、
前記搬入位置に順次搬入され、且つ前記カールが付与された各用紙の下端部を順次保持し、各下端部同士が所定隙間を空けた状態で前記用紙を前記貯留部内の搬出位置まで移動させ、前記下端部の保持を順次解除する用紙移動手段と、
前記移動する用紙の左右端を案内し、前記搬出位置での前記用紙の左右方向の位置決めをする用紙位置決め手段とを備えることを特徴とする両面印刷装置。
【請求項２】
前記用紙位置決め手段が、前記搬出位置での前記用紙の左右端近傍から前記搬入位置に向けて延びる一対の位置決め板であり、該一対の位置決め板が、前記搬入位置側から前記搬出位置側に向けて間隔が狭くなるように略八の字状に配設されていることを特徴とする請求項１に記載の両面印刷装置。
【請求項３】
前記カール付与手段が、前記カールの凸面が搬入位置側、該カールの凹面が搬出位置側となるように、前記用紙にカールを付与するものであることを特徴とする請求項１または２に記載の両面印刷装置。
【請求項４】
前記用紙移動手段が、前記用紙が保持位置を中心に回転可能な状態で前記用紙の下端部を保持するものであることを特徴とする請求項１〜３のいずれか１項に記載の両面印刷装置。
【発明の詳細な説明】
【技術分野】
【０００１】
本発明は、用紙の一面および他面に印刷を行う両面印刷装置に関する。より詳しくは、一面に印刷した用紙を所定時間貯留して他面に印刷する両面印刷装置に関する。
【背景技術】
【０００２】
近年、環境問題の観点等から印刷に使用する用紙の使用量を低減することが望まれており、用紙の一面および他面に印刷を行う両面印刷が盛んである。この両面印刷装置の一例として、原紙を外周面に巻装した円筒状の第１ドラムと第２ドラムを隣接して配設し、第１ドラムで用紙の一面に印刷し、一面が印刷された用紙を搬送して第２ドラムで用紙の他面に印刷する両面孔版印刷装置が知られている。
【０００３】
このような両面印刷装置の場合、一面に印刷されたインクが十分に乾く前に、他面印刷のための搬送や、他面印刷を行うことによって用紙が汚れる虞がある。
【０００４】
特許文献１には、第１ドラムへ１次給紙して用紙の一面を印刷し、一面が印刷された用紙を貯留部に２次給紙して所定時間貯留し、その後に搬送して第２ドラムへ３次給紙する両面印刷装置が提案されている。
【先行技術文献】
【特許文献】
【０００５】
【特許文献１】特開２００５−２９３７５
【発明の概要】
【発明が解決しようとする課題】
【０００６】
このような両面印刷装置においては、給紙位置である給紙台および再給紙位置である貯留部の搬出位置から第１ドラムおよび第２ドラムへ所定のタイミングで用紙を供給することにより、一面および他面印刷における用紙の上下方向の位置決めを行う。一方、一面および他面印刷における用紙の左右方向の位置決めは、給紙台および搬出位置において予め行う必要がある。
【０００７】
しかしながら、一面印刷中での用紙への押圧力のばらつきや、一面印刷後の搬送中での用紙への吸引力のばらつきによって、用紙が左右移動や斜め移動して左右方向の位置ズレが生じる可能性がある。
【０００８】
用紙に左右方向の位置ズレが生じると、左右方向の位置精度が要求される搬出位置へ用紙が移動できず、搬送位置への移動中にジャムが発生する虞がある。また、この左右方向の位置ズレを吸収するために、搬出位置での左右方向の位置精度を粗くすると、搬出位置から第２ドラムへの搬出中にジャムや印刷乱調が発生する虞がある。
【０００９】
本発明の目的は、上記事情に鑑み、一面印刷された用紙の装置内でのジャムを回避できる両面印刷装置を提供する。
【課題を解決するための手段】
【００１０】
上記課題を解決するために、本発明の両面印刷装置は、用紙の一面に印刷する第１印刷部と、一面が印刷された用紙が搬入され、搬入された用紙を貯留する貯留部と、この貯留部から搬出された用紙の他面に印刷する第２印刷部とを備えた両面印刷装置であって、貯留部が、この貯留部内の搬入位置に順次搬入されてくる用紙に、この用紙の左右方向の断面が一面を内側となるようにカールを付与するカール付与手段と、搬入位置に順次搬入され、且つカールが付与された各用紙の下端部を順次保持し、各下端部同士が所定隙間を空けた状態で用紙を貯留部内の搬出位置まで移動させ、下端部の保持を順次解除する用紙移動手段と、移動する用紙の左右端を案内し、搬出位置での用紙の左右方向の位置決めをする用紙位置決め手段とを備えることを特徴とする。
【００１１】
ここで、「左右方向の断面」とは、左右方向と平行な面における断面を意味する。上記「下端部」とは、用紙の下端近傍の部分を意味し、具体的に、下端から上端方向に用紙全長の２０パーセント程度の位置までの部分を意味する。
【００１２】
また、本発明の両面印刷装置は、用紙位置決め手段が、搬出位置での用紙の左右端近傍から搬入位置に向けて延びる一対の位置決め板であり、この一対の位置決め板が、搬入位置側から搬出位置側に向けて間隔が狭くなるように略八の字状に配設されていてもよい。
【００１３】
「左右端近傍」とは、左右方向の位置決めがなされた左右位置での用紙の各左右端からそれぞれ左右方向に離れた近接位置を意味し、具体的に各左右端から左右方向に１ｍｍ程度、望ましくは０．５ｍｍ程度以内に離れた位置を意味する。
【００１４】
また、本発明の両面印刷装置は、カール付与手段が、カールの凸面が搬入位置側、このカールの凹面が搬出位置側となるように、用紙にカールを付与するものであってもよい。
【００１５】
また、本発明の両面印刷装置は、用紙移動手段が、用紙が保持位置を中心に回転可能な状態で用紙の下端部を保持するものであってもよい。
【発明の効果】
【００１６】
本発明の両面印刷装置によれば、用紙の一面に印刷する第１印刷部と、一面が印刷された用紙が搬入され、搬入された用紙を貯留する貯留部と、この貯留部から搬出された用紙の他面に印刷する第２印刷部とを備え、その貯留部が、貯留部内の搬入位置に順次搬入されてくる用紙に、この用紙の左右方向の断面が一面を内側となるようにカールを付与するカール付与手段と、搬入位置に順次搬入され、且つカールが付与された各用紙の下端部を順次保持し、各下端部同士が所定隙間を空けた状態で用紙を貯留部内の搬出位置まで移動させ、下端部の保持を順次解除する用紙移動手段と、移動する用紙の左右端を案内し、搬出位置での用紙の左右方向の位置決めをする用紙位置決め手段とを備えることにより、カールが付与されて搬出位置へ移動する用紙の左右端が、搬出位置における所定位置へ案内されるため、一面印刷中の押圧力のばらつきや、一面印刷後の搬送での吸引力のばらつきによる左右移動や斜め移動によって用紙に左右方向の位置ズレが発生した場合であっても、左右方向の位置精度が要求される搬出位置へ用紙を確実に搬出位置へ移動でき、一面印刷された用紙の装置内でのジャムを回避できる。
【図面の簡単な説明】
【００１７】
【図１】両面印刷装置の構成図
【図２】貯留部の構成図
【図３】貯留部の一部斜視図（その１）
【図４】貯留部の一部構成図（その２）
【図５】貯留部内の用紙の断面図
【図６】位置決め板の構造図
【図７】位置決め板の作用を示す図（その１）
【図８】位置決め板の作用を示す図（その２）
【発明を実施するための形態】
【００１８】
以下、本発明の両面印刷装置の実施形態について、図面を用いて詳細に説明する。図１は、本発明の両面印刷装置の実施形態である両面印刷装置１の構成図を示す。
【００１９】
両面印刷装置１は、両面孔版印刷装置であり、未印刷の用紙Ｐ１を給紙して一面に印刷し、一面印刷後の用紙Ｐ２を所定時間貯留し、用紙Ｐ２を再給紙して他面に印刷し、他面印刷後の用紙Ｐ３を排紙するものである。
【００２０】
両面印刷装置１は、図１に示す通り、未印刷の用紙Ｐ１を給紙する給紙部２と、この給紙部２から給紙された用紙Ｐ１の一面に印刷する第１印刷部３と、この第１印刷部３で一面に印刷された用紙Ｐ２を反転させる反転部４と、この反転部４で反転された用紙Ｐ２を搬入し、所定時間貯留した後、搬出する貯留部５と、この貯留部５から搬出された用紙Ｐ２を再給紙する再給紙部６と、この再給紙部６で再給紙された用紙Ｐ２の他面に印刷する第２印刷部７と、この第２印刷部７で他面に印刷された用紙Ｐ３を排紙する排紙部８とから構成される。
【００２１】
給紙部２は、未印刷の用紙Ｐ１を第１印刷部３に給紙するものである。
【００２２】
給紙部２の構成について説明する。給紙部２は、装置本体１１の側面に設けられ、用紙Ｐ１を積載する給紙台２１と、この給紙台２１から用紙Ｐ１を一枚ずつ取り出す給紙ローラ２２と、紙捌きローラ２３と、用紙Ｐ１を第１印刷部３に送り込むタイミングローラ対２４と、紙面と直交する方向である左右方向に対して用紙Ｐ１の位置決めをする給紙フェンス２５とから構成されている。
【００２３】
給紙部２の動作について説明する。給紙部２は、給紙台２１に積載された用紙Ｐ１が第１印刷部３に対して用紙Ｐ１の左右方向の位置が所定位置となるように、給紙フェンス２５によって予め左右方向の位置決めを行う。予め左右方向の位置決めがされた用紙Ｐ１は、給紙ローラ２２および紙捌きローラ２３によって取り出され、所定のタイミングで第１印刷部３へ供給される。
【００２４】
第１印刷部３は、用紙Ｐ１の一面に印刷するものである。
【００２５】
第１印刷部３の構成について説明する。第１印刷部３は、第１版胴３１を備えている。この第１版胴３１は、インク透過性の周壁３１ａを有し、図示しない駆動手段により図中矢印Ａ方向に回転駆動される。
【００２６】
第１版胴３１の内部には、周壁３１ａの内周面に接するインク供給ローラ３２と、このインク供給ローラ３２へインクを所定量供給するドクターローラ３３と、インクが充填されたインクボトル３４が設けられている。
【００２７】
また、第１版胴３１の外周面には、不図示のクランプによって原紙Ｍが巻装されている。第１版胴３１の下方には、プレスローラ３５が設けられ、このプレスローラ３５が第１版胴３１と近接離間するように、図中Ｂ方向に移動することで、用紙Ｐ１を所定の押圧力で挟持して印刷する。第１版胴３１の右下方には、第１印刷部３で一面が印刷された用紙Ｐ２を原紙Ｍから分離させる分離爪３６が設けられている。
【００２８】
第１印刷部３の動作について説明する。第１印刷部３は、原紙Ｍが供給されると、この原紙Ｍが第１版胴３１の回転にともない、第１版胴３１の外周面に巻装され、不図示のクランプにより保持される。その後、第１版胴３１を所定の周速で回転駆動させるともに、用紙Ｐ１を予め設定された押圧力で押圧できる位置にプレスローラ３５を移動させる。
【００２９】
給紙部２から所定のタイミングで用紙Ｐ１が送り込まれると、第１版胴３１とプレスローラ３５とで用紙Ｐ１を挟持搬送し、原紙Ｍに用紙Ｐ１を押圧して印刷する。一面が印刷された用紙Ｐ２は、分離爪３６によって原紙Ｍから分離される。
【００３０】
反転部４は、印刷された一面が下方となるように、用紙Ｐ２を反転するものである。
【００３１】
反転部４の構成について説明する。反転部４は、円弧状の軌跡に沿って配設された４個のプーリー４１と、この４個のプーリー４１の外周に架け渡されてプーリー４１の回転にともなって移動する搬送ベルト４２と、吸着ファン４３とを備えている。
【００３２】
反転部４の動作について説明する。反転部４は、第１印刷部３で印刷された用紙Ｐ２を吸着ファン４３で吸引しつつ、用紙Ｐ２をプーリー４１の回転にともなって搬送ベルト４２上を円弧状の軌道に沿って貯留部５へ搬送する。用紙Ｐ２が円弧状の軌跡で移動することにより、印刷された用紙の一面が下方となる。
【００３３】
図２は、貯留部５の構成図である。貯留部５は、一面が印刷された用紙Ｐ２を貯留部５内に搬入し、用紙Ｐ２を乾燥させるために所定時間貯留し、再給紙のために貯留部５外へ搬出するものである。
【００３４】
貯留部５の構成について説明する。貯留部５は、図２に示す通り、用紙Ｐ２を斜め下方から支持する支持板５ａと、この支持板５ａの両側から延びる一対の位置決め板５ｂと、この支持板５ａに対して斜め上方に傾いて位置する覆板５ｃとを有している。位置決め板５ｂについては後述する。
【００３５】
また、貯留部５は、覆板５ｃの内面を搬入時に用紙Ｐ２がその上を移動する搬入面５ｄとして、支持板５ａの内面を搬出時に用紙Ｐ２がその上を移動する搬出面５ｅとして有し、搬入面５ｄの上端と搬出面５ｅの上端との距離が、搬入面５ｄの下端と搬出面５ｄの下端との距離よりも短くなるように、支持板５ａおよび覆板５ｃを配置する。すなわち図２に示すように、貯留部５が扇形状の外形を有する。
【００３６】
また、貯留部５は、用紙Ｐ２を搬入面５ｄ上で移動させて搬入位置まで搬入する第１搬送手段５１と、搬入位置まで搬入された用紙Ｐ２に対して印刷された一面を内側にして湾曲するカールを付与するカール付与手段５２と、搬入位置まで搬入された用紙Ｐ２の下端部Ｐ２Ｌを保持して搬出面５ｅ側へ移動する用紙移動手段５３と、搬出面５ｅ上の用紙Ｐ２を貯留部５外へ搬出する第２搬送手段５６とから構成される。
【００３７】
第１搬送手段５１は、反転部４からの用紙Ｐ２を貯留部５内の搬入位置まで搬入面５ｄ上を移動させて搬入するものである。ここで、搬入位置とは、搬入された用紙Ｐ２が移動できる搬入面５ｄ上の最も下方な位置である。
【００３８】
第１搬送手段５１の構成について説明する。第１搬送手段５１は、図２に示す通り、覆板５ｃに固定されて略密閉状態のハウジング５１１と、ハウジング５１１内で所定間隔を空けて配置された一対のプーリー５１２と、一対のプーリー５１２に掛け渡され、不図示の駆動手段によるプーリー５１２の回転にともなって移動する環状ベルト５１３とを備えている。
【００３９】
覆板５ｃには、環状ベルト５１３が露出するようにスロットが形成され、一対のプーリー５１２は、露出する環状ベルト５１３の面が搬入面５ｄと略平坦となるように、ハウジング５１１内で配置されている。図３は、貯留部５の一部斜視図を示す。環状ベルト５１３には、図３に示す通り、複数の貫通孔５１３ａが形成されている。なお、図３は理解を容易にするため、ハウジング５１１を図示していない。
【００４０】
再び図２を参照する。第１搬送手段５１は、回転軸５１４ａ回りに回転することによって搬入面５ｄから突出可能な強制剥離爪５１４と、ハウジング５１１外に配置され、ハウジング５１１内の空気を排出してハウジング５１１内を負圧状態にさせる吸気ファン５１５と、ハウジング５１１と吸気ファン５１５との間に設けられ、吸気ファン５１５による吸気を制御する吸気シャッター５１６と、負圧状態となったハウジング５１１内に外気を供給して大気圧に戻す給気シャッター５１７を備えている。
【００４１】
第１搬送手段５１の動作について説明する。予め吸気ファン５１５を回転させておき、所定のタイミングで吸気シャッター５１６を開き、給気シャッター５１７を閉じてハウジング５１１内の空気を排出して負圧状態にする。負圧状態にあるハウジング５１１内には、搬入面５ｄに露出する環状ベルト５１３の貫通孔５１３ａから外気が流入し、貫通孔５１３ａに吸引力を発生させる。
【００４２】
反転部４から貯留部５内に搬入された用紙Ｐ２は、貫通孔５１３ａから環状ベルト５１３に向けて吸引される。不図示の駆動手段がプーリー５１２を駆動させることにより、一面が印刷された用紙Ｐ２が、露出された環状ベルト５１３と略平坦な搬入面５ｄ上を移動する。
【００４３】
用紙Ｐ２が貯留部５内の搬入位置まで搬入されると、吸気シャッター５１６を閉じて給気シャッター５１７を開き、ハウジング５１１内を大気圧に戻し、その後、強制剥離爪５１４を回転軸５１４ａ回りに回転させて搬入面５ｄ上に突出させることにより、搬入面５ｄ上の用紙Ｐ２を剥離する。なお、本実施形態では、吸気ファン５１５は常時駆動しているものとして説明する。
【００４４】
再び図３を参照する。カール付与手段５２は、貯留部５内の搬入位置に順次搬入されてくる用紙Ｐ２に、印刷された一面が内側となるようにカールを付与するものである。
【００４５】
カール付与手段５２の構成について説明する。カール付与手段５２は、図３に示す通り、第１搬送手段５１の両側で搬入面５ｄ上に立設された不図示の取付板によって両端を固定された支点軸５２１と、この支点軸５２１を中心にして矢印Ｃ方向に回転可能に取り付けられた支持板５２２と、支持板５２２から斜め下方に羽根状に延出したガイド板５２３とを備えている。
【００４６】
カール付与手段５２の作用について説明する。カール付与手段５２は、用紙Ｐ２が貯留部５内に搬入される前に予めガイド板５２３が搬入面５ｄに対して斜め下方を向くように、支点軸５２１を中心にして支持板５２２およびガイド板５２３を回転させる。これにより、搬入面５ｄ上を移動して搬入された用紙Ｐ２の左右部が、搬入面５ｄからガイド板５２３上に移り、この用紙Ｐ２の左右部が、搬入面５ｄ上を移動する用紙Ｐ２の中央部よりも斜め下方に移動し、用紙Ｐ２が搬入位置まで搬入されると、用紙Ｐ２に左右方向の断面が印刷された一面が内側となるようにカールが付与される。
【００４７】
カールが付与された用紙Ｐ２の状態について、図４および図５を用いて説明する。図４は、貯留部５の一部斜視図、図５は、貯留部５内の用紙Ｐ２の断面図である。なお、図４は理解を容易にするため、第１搬送手段５１およびカール付与手段５２の図示を省略し、且つ位置決め板５ｂを図示している。
【００４８】
図５の上図は、図４のセクションＡ−Ａにおける用紙Ｐ２の断面、図５の下図は、図４のセクションＢ−Ｂにおける用紙Ｐ２の断面を示す。ここで、図４に示す通り、セクションＡ−Ａは、用紙Ｐ２の位置決め板５ｂで案内される下部分の断面位置、セクションＢ−Ｂは、用紙Ｐ２の位置決め板５ｂで案内される上部分の断面位置である。
【００４９】
用紙Ｐ２には、図５に示す通り、凸面が搬入面５ｄ側、凹面が搬出面５ｅ側となるようにカールが付与される。用紙Ｐ２のカールは、搬入面５ｄ側に近い程大きく、搬出面５ｅに近い程小さくなり、用紙Ｐ２の下端に近い程大きく、上端に近い程が小さくなる。
【００５０】
用紙Ｐ２にカールが付与されることより、用紙Ｐ２に腰付けがなされて第１搬送手段５１によって剥離された後であっても、用紙Ｐ２は再び搬入面５ｄ側に戻ることを防ぐ性質を有することになる。
【００５１】
再び図２を参照する。用紙移動手段５３は、搬入位置まで搬入された用紙Ｐ２の下端部Ｐ２Ｌを順次保持し、この下端部Ｐ２Ｌ同士が互いに所定隙間を空けた状態で各用紙Ｐ２を搬入位置から搬出位置に移動させるものである。ここで、搬出位置とは、搬送された用紙Ｐ２が移動できる搬出面５ｅ上の最も下方な位置である。用紙Ｐ２の下端部Ｐ２Ｌとは、用紙Ｐ２の下端近傍であり、具体的に、下端から上端方向に用紙Ｐ２の全長の２０パーセント程度の位置までの部分である。
【００５２】
用紙Ｐ２の上端部Ｐ２Ｕは、剥離後に搬出面５ｅ側に自由落下することによって移動する。前述の通り、搬入面５ｄの上端と搬出面５ｅの上端との距離が、搬入面５ｄの下端と搬出面５ｄの下端との距離よりも短くなるように、支持板５ａおよび覆板５ｃを配置することにより、上端部Ｐ２Ｕの搬出面５ｅ側への移動が、強制的に搬出面５ｅ側に移動される下端部Ｐ２Ｌよりも遅くなることを回避する。
【００５３】
用紙移動手段５３の構成について説明する。用紙移動手段５３は、図２に示す通り、一方が搬入面５ｄ近傍に配置され、他方が搬出面５ｅ近傍に配置された一対のプーリー５３１と、この一対のプーリー５３１の外周に掛け渡されて、不図示の駆動手段によるプーリー５３１の回転にともなって移動する環状ベルト５３２とを備えている。
【００５４】
また、この環状ベルト５３２の全外周面には、複数のプレート５３３が互いに所定間隔を空けて略垂直に立設している。この各プレート５３３は、隣接するプレート５３３に向けて延びる弾性変形可能な爪片５３４を有している。
【００５５】
用紙移動手段５３の動作について説明する。用紙移動手段５３は、用紙Ｐ２が搬入位置まで搬入される毎の所定タイミングで間欠的に動作する。用紙Ｐ２が搬入面５ｄ上を移動すると、用紙Ｐ２の下端部Ｐ２Ｌがプレート５３３間の凹部５３５に一枚ずつ挿入され、用紙Ｐ２が環状ベルト５３２に当接する。
【００５６】
搬入位置は、前述の通り、用紙搬入手段５１に搬入された用紙Ｐ２が移動できる搬入面５ｄ上の最も下方な位置であり、本実施形態では、用紙Ｐ２の下端部Ｐ２Ｐが凹部５３５に挿入され、用紙Ｐ２が環状ベルト５３２に当接する位置である。
【００５７】
搬入面５ｄ近傍では、搬入面５ｄ側のプレート５３３がプーリー５３１の周方向を向き、搬出面５ｅ側のプレート５３３が環状ベルト５３２に対して略垂直を向くため、凹部５３５の寸法が広がり、用紙Ｐ２の下端部Ｐ２Ｌをプレート５３３間の凹部５３５に挿入できる。
【００５８】
用紙Ｐ２が搬入された後、不図示の駆動手段が所定のタイミングでプーリー５３１を間欠的に回転させることにより、搬入面５ｄの近傍で凹部５３５に用紙Ｐ２が挿入された搬入面５ｄ側のプレート５３３が搬出面５ｅ側へ移動して環状ベルト５３２に対して略垂直となる。これにより、凹部５３５の寸法が狭くなり、搬出面５ｅ側の爪片５３４が下端部Ｐ２Ｌに当接して弾性変形することで下端部Ｐ２Ｌが、搬入面５ｄ側のプレート５３３と搬出面５ｅ側の爪片５３４とによって保持される。
【００５９】
用紙移動手段５３は、不図示の駆動手段が所定のタイミングでプーリー５３１を間欠的に回転させて搬入位置に搬入された用紙Ｐ２を順次保持し、各下端部Ｐ２Ｌ同士が所定隙間を空けた状態で搬入面５ｄから搬出面５ｅへ間欠的に順次移動させ、この移動時間によって、用紙Ｐ２の印刷された一面を乾燥させる。
【００６０】
プーリー５３１がさらに間欠的に回転し、搬出面５ｅ側のプレート５３３が搬出面５ｅ近傍まで移動すると、搬出面５ｅ側のプレート５３３がプーリー５３１の周方向を向き、再び凹部５３５の寸法が広くなり、用紙Ｐ２の下端部Ｐ２Ｌの保持が順次解除される。搬出位置は、前述の通り、搬送された用紙Ｐ２が移動できる搬出面５ｅ上の最も下方な位置であり、本実施形態では、用紙Ｐ２の下端部Ｐ２Ｌの保持が解除された後、搬出面５ｅに移動した位置である。
【００６１】
凹部５３５に挿入され、搬入面５ｄ側のプレート５３３と弾性変形した搬出面５ｅ側の爪片５３４によって保持される用紙Ｐ２は、搬入面５ｄ側から搬出面５ｅ側への移動中に完全に固定されているものではない。すなわち保持された用紙Ｐ２は、プレート５３３と爪片５３４による保持位置ＨＰから上下方向および／または左右方向に移動することはないが、保持位置ＨＰを中心とする回転可能な状態となっている。
【００６２】
一対の位置決め板５ｂは、搬出面５ｅ側へ移動する各用紙Ｐ２の左右端ＬＴ、ＲＴをそれぞれ案内し、搬出面５ｅ上の搬出位置で用紙Ｐ２の左右方向の位置決めを行うものである。図６は、位置決め板５ｂの構造図である。なお、図６の上図および下図は、搬入面５ｄ側から搬出面５ｅ側を見た場合の図、図６の中図は断面図である。
【００６３】
一対の位置決め板５ｂは、図６の上図および中図が示す通り、搬出面５ｅ上の搬出位置で左右方向に所定の位置決めがされた用紙Ｐ２の左端ＬＴ、右端ＲＴ近傍から搬入面５ｄ側へ延びるものであり、搬出面５ｅでの間隔は、所定の位置決めがされた用紙Ｐ２の左右端ＬＴ、ＲＴからクリアランスＣＬ１を有する。クリアランスＣＬ１は、１ｍｍ程度、望ましくは０．５ｍｍ程度である。
【００６４】
また、一対の位置決め板５ｂは、搬入面５ｄ側から搬出面５ｅ側に向けて間隔が狭くなるように略八の字状に配設されている。一対の位置決め板５ｂの搬入面５ｄ側の端での間隔は、所定の位置決めがされた用紙Ｐ２の左右端ＬＴ、ＲＴからクリアランスＣＬ２を有する。クリアランスＣＬ２は、４〜５ｍｍ程度である。また、一対の位置決め板５ｂは、それぞれ搬出面５ｅに対して垂直方向に６０ｍｍ程度の高さを有するため、搬出面５ｅの垂直方向に対する傾きは４〜５度程度である。
【００６５】
搬入面５ｄ上の搬入位置に搬入された用紙Ｐ２の左右方向の位置ズレが、位置決め板５ｂの搬出面５ｅにおけるクラアランスＣＬ１の範囲外であっても、位置決め板５ｂの搬入面５ｄ側の端での左右方向の位置ズレがクリアランスＣＬ２の範囲内である場合には、用紙Ｐ２の一面が位置決め板５ｂの搬入面５ｄ側の端と衝突することなく、用紙Ｐ２が一対の位置決め板５ｂの間に移動し、上記と同様の作用によりクラアランスＣＬ１の範囲内で搬出面５ｅで左右方向の位置決めがされる。
【００６６】
なお、一対の位置決め板５ｂが、搬出面５ｅに対して略垂直に配設されている場合、図６の下図が示す通り、搬入面５ｄ上の搬入位置での左右方向の位置ズレが大きい用紙Ｐ２を案内するために、クリアランスＣＬ１を大きくする必要があり、搬出面５ｅでの用紙Ｐ２の位置決め精度が粗くなる。
【００６７】
一対の位置決め板５ｂの作用について説明する。用紙Ｐ２は、前述の通り、用紙Ｐ２の左右方向の断面が印刷された一面を内側となるようにカールが付与されている。
【００６８】
図７は、位置決め板５ｂの作用を示す図である。図７は、用紙Ｐ２の右半部のみを示し、左半部を省略している。また、図７の上図はカールが付与されていない各用紙Ｐ２に対する作用を示し、下図はカールが付与された各用紙Ｐ２に対する作用を示す。
【００６９】
カールが付与されない用紙Ｐ２は、図７の上図が示す通り、用紙Ｐ２の右端ＲＴが位置決め板５ｂと当接した後、右端ＲＴの近傍部分も位置決め板５ｂに接触する状態で搬出面５ｅ側へ移動する可能性があり、搬出面５ｅ上での用紙Ｐ２の左右方向の位置決めが困難となる虞がある。
【００７０】
カールが付与された用紙Ｐ２は、図７の下図が示す通り、用紙Ｐ２の右端ＲＴが位置決め板５ｂと当接した後、カールによって用紙に腰付けがされているため、右端ＲＴの近傍部分が位置決め板５ｂが接触することなく、一面を内側とする当初のカールを維持した状態で搬出面５ｅに移動するため、搬出面５ｅ上でクラアランスＣＬ１の範囲内で用紙Ｐ２の左右方向の位置決めができる。なお、図７においては、用紙Ｐ２の右半部を例示して説明したが、左半部においても同様であることは言うまでもない。
【００７１】
図８は、搬入位置に斜め移動して搬入され、左右方向に位置ズレした用紙Ｐ２に対する位置決め板５ｂの作用を示す図である。用紙Ｐ２は、前述の通り、搬入面５ｄ側から搬出面５ｅ側への移動中に保持位置ＨＰを中心に回転可能な状態で保持されている。これにより、搬入位置に斜め移動して搬入されて位置ズレした用紙Ｐ２は、図８に示す通り、位置決め板５ｂと当接した後、搬出面５ｅ側へ移動するにともない、保持位置ＨＰを中心として図中の矢印Ｒ方向に回転し、搬出面５ｅ側への移動中に位置ズレが修正され、上記と同様の作用により搬出面５ｅ上でクラアランスＣＬ１の範囲内で用紙Ｐ２の左右方向の位置決めができる。
【００７２】
第２搬送手段５６は、搬出面５ｅ上の用紙Ｐ２を貯留部５内から搬出するものである。第２搬送手段５６は、ハウジング５６１が支持板５ａに固定されている点、搬出面５ｅから用紙Ｐ２を強制剥離させる必要がないため、剥離爪を有さない点および搬出面５ｅ上を移動する用紙Ｐ２をピックアップするピックアップローラ対５６８を有する点において第１搬送手段５１と相違するが、他の構成は第１搬送手段５１と略同様であり、その詳細な説明は省略する。
【００７３】
第２搬送手段５６は、搬出面５ｅ上の用紙Ｐ２を搬出面５ｅ上で移動させ、移動する用紙Ｐ２をピックアップローラ対５６８でピックアップして貯留部５内から搬出する。用紙Ｐ２を搬出面５ｅ上に移動させる動作は、第１搬送手段５１と略同様であり、その詳細な説明は省略する。
【００７４】
再び図１を参照して説明する。再給紙部６は、貯留部５内から搬出された用紙Ｐ２を後述する第２印刷部７の第２版胴７１が所定位置にある所定のタイミングで第２印刷部７へ再給紙するものであり、貯留部５から搬出された用紙Ｐ２を第２印刷部７へ送り込むタイミングローラ対６１で構成される。
【００７５】
第２印刷部７は、貯留された用紙Ｐ２の他面に印刷するものである。この第２印刷部７の構成および動作は、第１印刷部３と同様であり、その詳細な説明は省略する。
【００７６】
排紙部８は、他面が印刷された用紙Ｐ３を排紙するものである。
【００７７】
排紙部８の構成について説明する。排紙部８は、第２印刷部７によって他面が印刷された用紙Ｐ３を搬送する排紙搬送手段８１と、装置本体１１の側方に設けられ、用紙Ｐ３を積載する排紙台８２とから構成される。排紙搬送手段８１は、駆動ローラ８１ａと、従動ローラ８１ｂと、搬送ベルト８１ｃと、吸着ファン８１ｄとから構成される。
【００７８】
排紙部８の動作について説明する。排紙部８は、第２印刷部７によって他面が印刷された用紙Ｐ３が搬送ベルト８１ｃ上に供給されると、吸着ファン８１ｄにより用紙Ｐ３を吸着搬送して排紙台８２に積載する。
【００７９】
両面印刷装置１の全体動作について説明する。給紙部２が未印刷の用紙Ｐ１を第１印刷部３に給紙し、第１印刷部３が用紙Ｐ１の一面に印刷する。反転部４が、印刷された用紙Ｐ２の一面が下方となるように、用紙Ｐ２を反転させて貯留部５へ搬送する。
【００８０】
貯留部５では、第１搬送手段５１が用紙Ｐ２の一面を下方にして搬入位置まで吸引搬送する。この時、カール付与手段５２によって用紙Ｐ２には、印刷された一面を内側にして湾曲するカールが付与される。
【００８１】
搬入位置まで搬入された用紙Ｐ２の下端部Ｐ２Ｌは、用紙移動手段５３によって順次保持されるとともに、搬出面５ｅ側に順次移動される。位置決め板５ｂが用紙Ｐ２の各左右端ＬＴ、ＲＴを案内し、搬出面５ｅ上でクリアランスＣＬ１の範囲内で用紙Ｐ２の左右方向の位置決めを行う。
【００８２】
第２搬送手段５６が搬出面５ｅ上の用紙Ｐ２を貯留部５内から搬出し、再給紙部６が所定のタイミングで第２印刷部７へ用紙Ｐ２を再給紙する。第２印刷部７が用紙Ｐ２の他面に印刷し、排紙部８が他面を印刷された用紙Ｐ３を排紙する。具体的に、両面印刷装置１は、１分間に１００枚程度のサイクルで用紙Ｐ１の一面および他面を印刷することができる。
【００８３】
以上述べた通り、両面印刷装置１によれば、搬入面５ｄ上の搬入位置に移動した用紙Ｐ２にカールが付与されて用紙Ｐ２に腰付けがなされることにより、順次保持された各用紙Ｐ２が搬出面５ｅ側に移動し、左右方向に位置ズレした用紙Ｐ２の左端ＬＴおよび／または右端ＲＴが位置決め位置５ｂに当接した場合であっても、用紙Ｐ２の左端ＬＴおよび／または右端ＲＴの近傍部分が位置決め板５ｂに接触することなく、左端ＬＴおよび／または右端ＲＴが位置決め板５ｂ上を移動して搬出面５ｅ側に移動する。
【００８４】
位置決め板５ｂは、搬出面５ｅ上で所定の位置決めがなされた用紙Ｐ２の各左右端ＬＴ、ＲＴから所定のクラアランスを有して搬入面５ｄ側に向けて延びているため、一面印刷中の第１版胴３１とプレスローラ３５との挟持搬送での押圧力のばらつきや、一面印刷後の反転部４および第１搬送手段５１での吸引搬送での吸引力のばらつきによって用紙Ｐ２が左右移動をしたり、斜め移動をすることにより、用紙Ｐ２に左右方向の位置ズレが生じた場合であっても、搬出面５ｅに移動した用紙Ｐ２に対して所定のクリアランスの範囲内で左右方向の位置決めが可能となり、左右方向の位置決め精度が要求される搬出位置に用紙Ｐ２を確実に移動でき、貯留部５内でのジャムの発生を回避できる。
【００８５】
また、両面印刷装置１は、位置決め板５ｂが、搬入面５ｄ側から搬出面５ｅ側に向けて間隔が狭くなるように略八の字状に配設されていることにより、搬入面５ｄ上の搬入位置での用紙Ｐ２の位置ズレが位置決め板５ｂの搬出面５ｅでのクリアランスの範囲外であっても、搬入面５ｄ側の端でのクリアランスの範囲内であれば、位置決め位置５ｂの搬入面５ｄ側の端が、搬入面５ｄ側からから搬出面５ｅ側へ移動する用紙Ｐ２の一面に衝突することなく、一対の移動位置決め位置５Ｂの間に移動し、搬出面５ｅに移動した用紙Ｐ２に対して所定のクリアランスの範囲内で左右方向の位置決めが可能となる。
【００８６】
また、両面印刷装置１は、用紙Ｐ２が保持位置ＨＰを中心として回転可能な状態で保持されるため、用紙Ｐ２が搬入面５ｄ上の搬入位置に斜め移動状態で搬入されて左右方向に位置ズレした場合であっても、用紙Ｐ２の左端ＬＴおよび／または右端ＲＴが位置決め板５ｂと当接した後、用紙Ｐ２が搬出面５ｅ側へ移動するにともない、用紙Ｐ２が保持位置ＨＰを中心として回転し、搬出面５ｅ側への移動中に用紙Ｐ２の左右方向の位置ズレを修正可能であり、搬出面５ｅに移動した用紙Ｐ２に対して所定のクリアランスの範囲内で左右方向の位置決めが可能となる。
【００８７】
なお、両面印刷装置１を両面孔版印刷装置として説明したが、特にこれに限定されるものではなく、インクジェットプリンタ等であっても構わない。
【符号の説明】
【００８８】
１      両面印刷装置
３      第１印刷部
５      貯留部
５ｂ    位置決め板
７      第２印刷部
５２    カール付与手段
５３    用紙移動手段
ＨＰ    保持位置
ＬＴ    左端
ＲＴ    右端
Ｐ２    用紙
Ｐ２Ｌ  下端部
【図１】
2011083980.tif 000003
【図２】
2011083980.tif 000004
【図３】
2011083980.tif 000005
【図４】
2011083980.tif 000006
【図５】
2011083980.tif 000007
【図６】
2011083980.tif 000008
【図７】
2011083980.tif 000009
【図８】
2011083980.tif 000010